(57)【要約】      （修正有）【課題】ヘルメットに装着する発声装置により、事前に設定された間隔による安全呼掛けによる覚醒効果により、ヒューマンエラーに起因する労働災害を予防する装置を提供する。【解決手段】作業員のヘルメットに装着した音声記憶装置、発声装置及び制御装置をコンパクトに一体構成したヒューマンエラー予防装置である。安全作業を行うには、ヒューマンエラーをなくする事で特に、不安全行動やうっかりミス、手抜き行動が呼掛けにより、覚醒され安全意識が戻り労働災害の予防に効果を発揮する。心拍数等の体の状態を測定すれば、さらに安全意識の持続が可能で、何よりも機械化による更なるヒューマンエラーの防止に役立つ事が期待できる。【選択図】図２
0003145905.tif 000002
【実用新案登録請求の範囲】
【請求項１】
音声記憶装置は使用者自身ないしは家族等の使用人以外の声による「安全呼掛け」をしたものの記憶装置及び音楽等のその他の音源からの記憶装置を有する。並びに記憶した安全呼掛けを自在な時間的な間隔において
【請求項２】
ヘルメットに装着する受信装置・発声装置は［請求項１］からの発信を受け、警報を音声で発する。この発声装置には任意の間隔で発生する記憶、制御機能を有する。
【請求項３】
発声装置には作業員の言葉でも記憶でき、任意の間隔で作業員の言葉を発声する制御機能を有する。この言葉はいつでも作業員以外の言葉でも記憶変更できる更新機能を有する。警報はこれ等の言葉に変更も可能である。
【請求項４】
測定装置は一ヶ月単位の測定値を記憶し、三ヶ月の記憶容量を有する。このデータは労働災害予防のための分析に利用する。
【考案の詳細な説明】
【考案の詳細な説明】
【産業上の利用分野】
【００１】  本考案は、ヘルメットを装着して作業する建設業、製造業に適応が見込まれる一種のヒューマンエラーの予防装置である。
【背景技術】
【００２】  本考案のごとく、過負荷作業による心拍数上昇に着目するとともに単純作業における安全意識の持続の困難性、低下傾向に対して常に自己覚醒作用を付与するもので過去の考案には見られない考案である。以下に関連する特許公開を列記する。
心拍数を測定し、消費カロリーの算出する目的の発明：特許公開２００２−３３６２１９
指サックの心拍センサーにより睡眠から覚醒させる発明：特許公開平９−２７６４０９
心拍・呼吸を検知し、第三者に通報し重大事故を未然に防ぐ発明：特許公開２００２−１７６９２
ハンドルの心拍センサーにより眠気を感知し警報を発する発明：特許公開：平５−１８４５５８
【考案が解決しようとする課題】
【００３】  心拍数は作業負荷と相関関係にあり、また心理状態という精神面も作用する点に注目し、測定し、限界を知らしめる事。そして最も自己覚醒効果のある家族、恋人等の身近な声を録音、再生する事で作業員を覚醒させる事により作業の中での安全確認を認識させる事を意図しており、心拍数の測定精度の向上が課題である。その点では小型、軽量な装置開発が課題となる。
本考案は、ヘルメットに装着する発声装置のみでの適応も可能であり、身近で影響力のある人の声で録音し、作業に合わせて発声間隔を調整し災害予防を図るものである。
【課題を解決する手段】
【００４】  測定の精度の向上は、ＩＣチップ、ＩＴ技術の応用で作業員固有の限界心拍数をキャッチすることで解決を図り、測定値のデータベース化には小型メモリー装置により解決を図る。
従って、ＩＴ技術の向上により測定精度、小型・軽量化は更新できる。
【考案の効果】
【００５】  安全作業を行うには、ヒューマンエラーをなくする事で特に、不安全行動やうっかりミス、手抜き行動が本考案の呼掛けにより、覚醒され安全意識が戻り労働災害の予防に効果を発揮する。本考案は考案者がまったくのうっかりミスにより自動車の物損事故を起こした事で、その後は絶えず安全呼称を行っているが心拍数等の体の状態を測定すれば、さらに安全意識の持続が可能で、何よりも機械化による更なるヒューマンエラーの防止に役立つ事が期待できる。
【図面の簡単な説明】
【図１】手首に装着した心拍数測定装置・発信装置１は円形又は矩形の小型装置で心拍数を測定し、かつ測定結果が設定心拍数の限界値に達すると信号を発信する。
【図２】ヘルメットに装着する受信・発声装置２は同時に測定記録の記憶装置を有すると伴に、作業員の言葉を記憶し警報を作業員の言葉に変換する機能を有する。
【図３】ヘルメットに装着させる詳細図で既存のあご紐固定金具４、挿入・装着する塩化ビニール製の固定装置３で２を内蔵できる。
【図４】図３の側面図で、ヘルメットと固定装置の説明図である。
【図１】
0003145905.tif 000003
【図２】
0003145905.tif 000004
【図３】
0003145905.tif 000005
【図４】
0003145905.tif 000006
【手続補正書】
【提出日】平成20年1月22日(2008.1.22)
【手続補正１】
【補正対象書類名】実用新案登録請求の範囲
【補正対象項目名】全文
【補正方法】変更
【補正の内容】
【実用新案登録請求の範囲】
【請求項１】
本考案はヘルメットに装着する音声記憶装置、発声装置及び制御装置を組み合わせて一体化した安全呼掛け装置である。
【請求項２】
請求項１の音声記憶装置は本人の声ないしは家族等の他人の声を吹込む事ができる記憶装置である。
【請求項３】
請求項１の発声装置は直接に音声を再生する装置である。
【請求項４】
請求項１の制御装置は音声記憶装置から発声装置で出力する音量（ボリューム）、発声間隔、発声種別（本人、家族等の他人）の選定を可能とする制御機能を有する装置である。
【手続補正２】
【補正対象書類名】明細書
【補正対象項目名】全文
【補正方法】変更
【補正の内容】
【考案の詳細な説明】
【考案の詳細な説明】
【産業上の利用分野】
【００１】本考案は作業場でヘルメット装着が必要な業種（建設業、製造業等）におけるヒューマンエラーが予防できる。
【背景技術】
【００２】ヘルメットに直接に安全呼掛け装置を装着した考案は過去の考案に見られない。
【考案が解決しようとする課題】
【００３】作業中の安全呼掛けによる覚醒効果により、不安全行動が抑止され、ヒューマンエラーによる災害の予防効果が期待できる。
【課題を解決する手段】
【００４】  測定の精度の向上は、ＩＣチップ、ＩＴ技術の応用で作業員固有の限界心拍数をキャッチすることで解決を図り、測定値のデータベース化には小型メモリー装置により解決を図る。
従って、ＩＴ技術の向上により測定精度、小型・軽量化は更新できる。
【考案の効果】
【００５】  安全作業を行うには、ヒューマンエラーをなくする事で特に、不安全行動やうっかりミス、手抜き行動が本考案の呼掛けにより、覚醒され安全意識が戻り労働災害の予防に効果を発揮する。本考案は考案者がまったくのうっかりミスにより自動車の物損事故を起こした事で、その後は絶えず安全呼称を行っているが心拍数等の体の状態を測定すれば、さらに安全意識の持続が可能で、何よりも機械化による更なるヒューマンエラーの防止に役立つ事が期待できる。
【図面の簡単な説明】
【図１】ヘルメットに装着する安全呼掛け装置１の概要図。
【図２】ヘルメットに安全呼掛け装置を固定するヘルメットのあご紐固定金具２（ヘルメットに既存）及び安全呼掛け装置１を内蔵し、あご紐固定金具２と連結する塩化ビニール製固定具３のヘルメット側面視図による説明図。
【図３】ヘルメットの正面視図による説明図。
【手続補正３】
【補正対象書類名】図面
【補正対象項目名】全図
【補正方法】変更
【補正の内容】
【図１】
0003145905.tif 000007
【図２】
0003145905.tif 000008
【図３】
0003145905.tif 000009
【手続補正書】
【提出日】平成20年5月15日(2008.5.15)
【手続補正１】
【補正対象書類名】実用新案登録請求の範囲
【補正対象項目名】全文
【補正方法】変更
【補正の内容】
【実用新案登録請求の範囲】
【請求項１】
本人の声ないし家族等の他人の声を吹き込む事ができる音声記憶装置と音声記憶装置に吹き込んだ音声を再生する発声装着および音声記憶装置から発声装置で出力する音量、発声間隔、発声種別の選定を可能とする制御装置を組合せて一体化しヘルメットに装着する安全呼掛け装置である。
【手続補正２】
【補正対象書類名】明細書
【補正対象項目名】全文
【補正方法】変更
【補正の内容】
【考案の詳細な説明】
【産業上の利用分野】
【０００１】作業場でヘルメット装着が必要な業種（建設業、製造業等）におけるヒューマン・エラーが予防できる。
【背景技術】
【０００２】ヘルメットに直接に安全呼掛け装置を装着した考案は過去の考案に見られない。
【考案が解決しようとする課題】
【０００３】作業中の安全呼掛けによる覚醒効果により、不安全行動が抑止され、ヒューマン・エラーによる災害の予防効果が期待できる。
【課題を解決する手段】
【０００４】小型軽量化については、ＩＴ技術の向上により更新できる。
【考案の効果】
【０００５】作業中のヒューマン・エラーには、うっかりミスや無意識行動という要因で起きることがある。そのため安全呼掛け装置による意識の覚醒効果によりヒューマン・エラーが予防できる。
【図面の簡単な説明】
【０００６】
【図１】ヘルメットに装着する安全呼掛け装置１の概要図。
【図２】ヘルメットに安全呼掛け装置を固定するヘルメットのあご紐固定金具２（ヘルメットに既存）及び安全呼掛け装置１を内蔵し、あご紐固定金具２と連結する塩化ビニール製固定具３のヘルメット側面視図による説明図。
【図３】ヘルメットの正面視図による説明図。
【手続補正３】
【補正対象書類名】図面
【補正対象項目名】全図
【補正方法】変更
【補正の内容】
【図１】
0003145905.tif 000010
【図２】
0003145905.tif 000011
【図３】
0003145905.tif 000012
【手続補正書】
【提出日】平成20年7月24日(2008.7.24)
【手続補正１】
【補正対象書類名】実用新案登録請求の範囲
【補正対象項目名】全文
【補正方法】変更
【補正の内容】
【実用新案登録請求の範囲】
【請求項１】
本人の声ないし家族等の他人の声を吹き込む事ができる音声記憶装置と音声記憶装置に吹き込んだ音声を再生する発声装着および音声記憶装置から発声装置で出力する音量、発声間隔、発声種別の選定を可能とする制御装置を組合せて一体化しヘルメットに装着する安全呼掛け装置。
【手続補正２】
【補正対象書類名】明細書
【補正対象項目名】全文
【補正方法】変更
【補正の内容】
【考案の詳細な説明】
【産業上の利用分野】
【０００１】作業場でヘルメット装着が必要な業種（建設業、製造業等）におけるヒューマン・エラーが予防できる。
【背景技術】
【０００２】ヘルメットに直接に安全呼掛け装置を装着した考案は過去の考案に見られない。
【考案が解決しようとする課題】
【０００３】作業中の安全呼掛けによる覚醒効果により、不安全行動が抑止され、ヒューマン・エラーによる災害の予防効果が期待できる。
【課題を解決する手段】
【０００４】小型軽量化については、ＩＴ技術の向上により更新できる。
【考案の効果】
【０００５】作業中のヒューマン・エラーには、うっかりミスや無意識行動という要因で起きることがある。そのため安全呼掛け装置による意識の覚醒効果によりヒューマン・エラーが予防できる。
【図面の簡単な説明】
【０００６】
【図１】ヘルメットに装着する安全呼掛け装置１の概要図。
【図２】ヘルメットに安全呼掛け装置を固定するヘルメットのあご紐固定金具２（ヘルメットに既存）及び安全呼掛け装置１を内蔵し、あご紐固定金具２と連結する塩化ビニール製固定具３のヘルメット側面視図による説明図。
【図３】ヘルメットの正面視図による説明図。
【手続補正３】
【補正対象書類名】図面
【補正対象項目名】全図
【補正方法】変更
【補正の内容】
【図１】
0003145905.tif 000013
【図２】
0003145905.tif 000014
【図３】
0003145905.tif 000015